【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
管腔内医療装置のデリバリシステムであって、
体管腔内に挿入できる遠位端を備えた細長い管状部材と、
前記管状部材内に配置された拡張器とを備え、前記拡張器は、近位端と、体管腔内に挿入できるようになっている遠位端とを有しており、
さらに、細長い管状部材と前記拡張器との間に形成された装置チャンバと、
前記装置チャンバ内に配置された管腔内医療装置と、
前記装置チャンバに流体連通している水和チャネルとを備え、
前記水和チャネルは、前記拡張器によって形成され、かつ、前記拡張器の近位端から前記装置チャンバまで延びた通路を有し、前記水和チャネルは、前記通路から前記装置チャンバにむかって半径方向外方に延びる複数のサブ通路を有している、
ことを特徴とするデリバリシステム。
【請求項２】
前記拡張器の遠位端は、前記水和チャネルの通路と流体連通している遠位開口部を形成することを特徴とする請求項１に記載のデリバリシステム。
【請求項３】
さらに、前記拡張器の遠位開口部に配置された着脱可能なプラグを備えることを特徴とする請求項２に記載のデリバリシステム。
【請求項４】
前記複数のサブ通路は、第１組のサブ通路と、第２組のサブ通路とを含み、前記第１組のサブ通路は前記通路から第１の方向に、半径方向外方に延びており、第２組のサブ通路は前記通路から、前記第１の方向とは異なる第２の方向に、半径方向外方に延びることを特徴とする請求項１に記載のデリバリシステム。
【請求項５】
前記第１の方向は、前記第１の方向とは異なる第２の方向に対して実質的に反対方向であることを特徴とする請求項１に記載のデリバリシステム。
【請求項６】
前記第１の方向は、前記第１の方向とは異なる第２の方向に対して実質的に角度をなすことを特徴とする請求項１に記載のデリバリシステム。
【請求項７】
前記複数のサブ通路は、前記拡張器のまわりにヘリカルパターンで配置されることを特徴とする請求項１に記載のデリバリシステム。
【請求項８】
前記管腔内医療装置は、プロテーゼ弁を含むことを特徴とする請求項１に記載のデリバリシステム。
【請求項９】
前記管腔内医療装置は、完全に水和される材料を含むことを特徴とする請求項１に記載のデリバリシステム。
【請求項１０】
前記管腔内医療装置は、前記水和チャネルからの適当な流体で水和されるときに、前記管腔内医療装置から解放することができる生化学的活性剤を含有していることを特徴とする請求項１に記載のデリバリシステム。
【手続補正２】
【補正対象書類名】明細書
【補正対象項目名】００１２
【補正方法】変更
【補正の内容】
【００１２】
本発明の一つの例示方法は、内部に管腔内医療装置が配置されかつ水和チャネルが形成されたデリバリシステムを用意する段階を有している。水和チャネルは、管腔内医療装置および水和流体源に流体連通する。水和流体は、管腔内医療装置に連通してこの水和を行うべく、水和チャネルを通して流される。
【手続補正３】
【補正対象書類名】明細書
【補正対象項目名】００２０
【補正方法】変更
【補正の内容】
【００２０】
図５には、図１に示したデリバリシステムの、本発明の他の例示実施形態によるデリバリシステム２１０の遠位端２２２が示されている。ここで、図１に示した構造物と同じ構造物は、図１に使用した２桁の参照番号の前に２を付した参照番号で示されている。例えば、デリバリシステムは、参照番号２１０で示されている。図示の実施形態では、拡張器２２０は、拡張器２２０と管状部材２１２の内壁２４１との間に３つの間隔を隔てたギャップすなわち水和チャネル２４２を形成するように構成されている。水和チャネル２４２は、拡張器２２０の実質的に全長に沿って延び、拡張器２２０の近位端と遠位端２２２での装置チャンバ２３０との間の流体連通が行えるように構成するか、拡張器２２０の他の任意の適当な長さに沿って延びるように構成できる。拡張器２２０の断面形状は、図６に示すように、管状部材２１２の内壁２４１に当接するように半径方向外方に延びている３つのローブ２４３を有している。かくして、拡張器２２０は管状部材２１２内でセンタリングされる。所望により、３つより多数または少数のローブ２４３を使用できることは理解されよう。隣接するローブ２４３間に水和チャネル２４２が形成されている。また、１つ以上のローブ２４３は、管状部材２１２の内壁２４１に当接せず、２つ以上の隣接水和チャネル２４２間の流体連通を可能にするように形成できることも理解されよう。例えば拡張器２２０の押出し、拡張器２２０の外面の圧縮、拡張器２２０からの材料の機械的除去および他の方法等の任意の従来方法を使用して、拡張器２２０を所望の形状に形成し、水和チャネル２４２を形成できる。
【手続補正４】
【補正対象書類名】明細書
【補正対象項目名】００２１
【補正方法】変更
【補正の内容】
【００２１】
図７には、図１に示したデリバリシステムの、本発明の他の例示実施形態によるデリバリシステム３１０の遠位端３２２が示されている。ここで、図１に示した構造物と同じ構造物は、図１に使用した２桁の参照番号の前に３を付した参照番号で示されている。例えば、デリバリシステムは、参照番号３１０で示されている。図示の実施形態では、拡張器３２０は、拡張器３２０と管状部材３１２の内壁３４１との間に４つの間隔を隔てたギャップすなわち水和チャネル３４４を形成するように構成されている。水和チャネル３４４は、拡張器３２０の実質的に全長に沿って延び、拡張器３２０の近位端と遠位端３２２での装置チャンバ３３０との間の流体連通が行えるように構成するか、拡張器３２０の他の任意の適当な長さに沿って延びるように構成できる。拡張器３２０の断面形状は、図８に示すように、管状部材３１２の内壁３４１に当接するように半径方向外方に延びている４つのローブ３４５を有している。かくして、拡張器３２０は管状部材３１２内でセンタリングされる。所望により、４つより多数または少数のローブ３４５を使用できることは理解されよう。隣接するローブ３４５間に水和チャネル３４４が形成されている。また、１つ以上のローブ３４５は、管状部材３１２の内壁３４１に当接せず、２つ以上の隣接水和チャネル３４４間の流体連通を可能にするように形成できることも理解されよう。例えば拡張器３２０の押出し、拡張器３２０の外面の圧縮、拡張器３２０からの材料の機械的除去および他の方法等の任意の従来方法を使用して、拡張器３２０を所望の形状に形成し、水和チャネル３４４を形成できる。
【手続補正５】
【補正対象書類名】明細書
【補正対象項目名】００２２
【補正方法】変更
【補正の内容】
【００２２】
図９には、図１に示したデリバリシステムの、本発明の他の例示実施形態によるデリバリシステム４１０の遠位端４２２が示されている。ここで、図１に示した構造物と同じ構造物は、図１に使用した２桁の参照番号の前に４を付した参照番号で示されている。例えば、デリバリシステムは、参照番号４１０で示されている。図示の実施形態では、拡張器４２０は、拡張器４２０と管状部材４１２の内壁４４１との間に１つのスペースすなわち水和チャネル４４６を形成するように構成されている。水和チャネル４４６は、拡張器４２０の実質的に全長に沿って延び、拡張器４２０の近位端と遠位端４２２での装置チャンバ４３０との間の流体連通が行えるように構成するか、拡張器４２０の他の任意の適当な長さに沿って延びるように構成できる。拡張器４２０の断面形状は、図１０に示すように実質的にＣ型であり、「Ｃ」字の開口部が上を向き、水和チャネル４４６を形成している。本発明の範囲および精神から逸脱することなく、水和チャネル４４６を形成する「Ｃ」字の開口部は管状部材４１２内の任意の位置に配置でき、または任意の方向に向けることができることは理解されよう。例えば拡張器４２０の押出し、拡張器４２０の半径方向部分の切削、拡張器４２０からの材料の他の機械的除去および他の方法等の任意の従来方法を使用して、拡張器４２０を所望の形状に形成し、水和チャネル４４６４を形成できる。拡張器４２０のＣ型断面の中心部分には、ワイヤガイド４２７が配置されている。この実施形態では、ワイヤガイド４２７を受入れるルーメン４２６は、水和チャネル４４６に流体連通している。
【手続補正６】
【補正対象書類名】明細書
【補正対象項目名】００２３
【補正方法】変更
【補正の内容】
【００２３】
図１１には、図１に示したデリバリシステムの、本発明の他の例示実施形態によるデリバリシステム５１０の遠位端５２２が示されている。ここで、図１に示した構造物と同じ構造物は、図１に使用した２桁の参照番号の前に５を付した参照番号で示されている。例えば、デリバリシステムは、参照番号５１０で示されている。拡張器５２０は、この拡張器５２０内に形成された、軸線方向に延びている水和チャネル５４８の環状配列を有している。図１２に示す実施形態では、拡張器５２０に６つの水和チャネル５４８が形成されている。しかしながら、所望により、６つより多数または少数の水和チャネル５４８を使用できる。図示の実施形態では、各水和チャネル５４８は、少なくとも２つの他の水和チャネルからおよびワイヤガイド５２７を受入れるルーメン５２６から等距離を隔てている。しかしながら、水和チャネル５４８の任意の適当な所望間隔を使用できることは理解されよう。水和チャネル５４８は、拡張器５２０の実質的に全長に沿って延び、拡張器５２０の近位端と遠位端５２２での装置チャンバ５３０との間の流体連通が行えるように構成するか、拡張器５２０の他の任意の適当な長さに沿って延びるように構成できる。例えば拡張器５２０の押出し、拡張器５２０からの材料の機械的除去および他の方法等の任意の従来方法を使用して、拡張器５２０に水和チャネル５４８を形成できる。
【手続補正７】
【補正対象書類名】明細書
【補正対象項目名】００２４
【補正方法】変更
【補正の内容】
【００２４】
図１３には、図１に示したデリバリシステムの、本発明の他の例示実施形態によるデリバリシステム６１０の遠位端６２２が示されている。ここで、図１に示した構造物と同じ構造物は、図１に使用した２桁の参照番号の前に６を付した参照番号で示されている。例えば、デリバリシステムは、参照番号６１０で示されている。拡張器６２０は、この拡張器６２０内に形成された、軸線方向に延びている１つの通路すなわち水和チャネル６５０を有している。所望により、１つより多くの水和チャネル６５０を使用できる。図１４に示すように、水和チャネル６５０は腎臓のような断面形状を有している。本発明の範囲および精神から逸脱することなく他の断面形状を使用できることは理解されよう。また、水和チャネル６５０は、拡張器６２０の上部に形成されているものが示されている。水和チャネル６５０は、所望に応じて拡張器６２０の任意の部分に形成できることは理解されよう。水和チャネル６５０は、拡張器６２０の実質的に全長に沿って延び、拡張器６２０の近位端と遠位端６２２での装置チャンバ６３０との間の流体連通が行えるように構成するか、拡張器６２０の他の任意の適当な長さに沿って延びるように構成できる。例えば拡張器６２０の押出し、拡張器６２０からの材料の機械的除去および他の方法等の任意の従来方法を使用して、拡張器６２０に水和チャネル６５０を形成できる。
【手続補正８】
【補正対象書類名】明細書
【補正対象項目名】００２６
【補正方法】変更
【補正の内容】
【００２６】
図１７には、図１に示したデリバリシステムの、本発明の他の例示実施形態によるデリバリシステム８１０の遠位端８２２が示されている。ここで、図１に示した構造物と同じ構造物は、図１に使用した２桁の参照番号の前に８を付した参照番号で示されている。例えば、デリバリシステムは、参照番号８１０で示されている。拡張器８２０には、複数の孔すなわち水和チャネル８５４が形成されている。水和チャネル８５４は、拡張器８２０に形成されたルーメン８２６から装置チャンバ８３０まで半径方向外方に延びていて、装置チャンバ８３０とルーメン８２６との間および最終的には遠位端８２２との間（または所望により拡張器の近位端との間）の流体連通を行なう。所望に応じて、より多数または少数の水和チャネル８５４を使用できることは理解されよう。複数の水和チャネル８５４が複数の環状配列として示されているが、本発明の範囲および精神から逸脱することなく、例えばヘリカルパターンのような他のパターンの水和チャネル８５４を使用できる。例えば拡張器８２０の押出し、拡張器８２０からの材料の機械的除去および他の方法等の任意の従来方法を使用して、拡張器８２０に水和チャネル８５４を形成できる。
【手続補正９】
【補正対象書類名】明細書
【補正対象項目名】００２７
【補正方法】変更
【補正の内容】
【００２７】
図１８には、図１に示したデリバリシステムの、本発明の他の例示実施形態によるデリバリシステム９１０の遠位端９２２が示されている。ここで、図１に示した構造物と同じ構造物は、図１に使用した２桁の参照番号の前に９を付した参照番号で示されている。例えば、デリバリシステムは、参照番号９１０で示されている。拡張器９２０には、複数の水和チャネル９５４が形成されている。水和チャネル９５４は、拡張器９２０に形成されたルーメン９２６から装置チャンバ９３０まで半径方向外方に延びていて、装置チャンバ９３０とルーメン９２６との間および最終的には拡張器９２０の近位端との間の流体連通を行なう。所望に応じて、より多数または少数の水和チャネル９５４を使用できることは理解されよう。複数の水和チャネル８５４が複数の環状配列として示されているが、本発明の範囲および精神から逸脱することなく、例えばヘリカルパターンのような他のパターンの水和チャネル９５４を使用できる。例えば拡張器９２０の押出し、拡張器９２０からの材料の機械的除去、および、他の方法等の任意の従来方法を使用して、拡張器９２０に水和チャネル９５４を形成できる。拡張器９２０の遠位端９２２のルーメン９２６内には、着脱可能なプラグ９５６が配置される。プラグ９５６は、例えば圧嵌め等の任意の従来技術によりルーメン内に保持できる。必須ではないが、プラグ９５６が拡張器９２０の遠位端９２２でルーメン９２６を密封して、実質的な流体密封シールを形成するのが好ましい。プラグ９５６は、ルーメン９２６からの流体流出に対する一時的バリヤを形成し、例えば、水和処置中の、このような流出を防止するのに使用できる。
【手続補正１０】
【補正対象書類名】明細書
【補正対象項目名】００４４
【補正方法】変更
【補正の内容】
【００４４】
図３および図４に示す実施形態では、水和は下記段階で行われる。この段階は、図２１のフローチャート１７０により示されている。参照番号１７２で示す段階では、図３および図４に示し、かつ、説明した構造を有するデリバリシステム１１０が用意される。参照番号１７４で示す段階では、水和流体（図示せず）が、拡張器１２０の近位端の水和チャネル１４０内に導入される。水和流体は、例えば、コネクタ１１８に連結されるシリンジを使用する任意の従来手段により水和チャネル１４０内に導入できる。前述のように、例えば、食塩水、および、血液等の種々の水和流体を使用できる。水和流体は、水和チャネル１４０を通って装置チャンバ１３０に導かれる。装置チャンバ１３０内に到達したならば、参照番号１７８で示す段階で、水和流体は管腔内医療装置１２８に連通し、この管腔内医療装置１２８を水和する。次に、水和流体は、所望により、取出されるか、水和チャネル１４０、および、装置チャンバ１３０内に残される。
【手続補正１１】
【補正対象書類名】明細書
【補正対象項目名】００４５
【補正方法】変更
【補正の内容】
【００４５】
図５および図６に示す実施形態では、水和は下記段階で行われる。この段階は、図２２のフローチャート２７０により示されている。参照番号２７２で示す段階では、図５および図６に示しかつ説明した構造を有するデリバリシステム２１０が用意される。参照番号２７４で示す段階では、水和流体（図示せず）が、拡張器２２０の近位端２２４の少なくとも１つの水和チャネル２４２内に導入される。水和流体は、例えばコネクタ２１８に連結されるシリンジを使用する任意の従来手段により水和チャネル２４２内に導入できる。
所望により、例えば、食塩水、および、血液等の種々の水和流体を使用できる。水和流体は、水和チャネル２４２を通って装置チャンバ２３０に導かれる。装置チャンバ２３０内に到達したならば、参照番号２７８で示す段階で、水和流体は管腔内医療装置２２８に連通し、この管腔内医療装置２２８を水和する。次に、水和流体は、所望により、取出されるか、水和チャネル２４２および装置チャンバ２３０内に残される。図６に示すように、水和チャネル２４２が間隔を隔てて配置されているため、水和チャネル２４２は、装置チャンバ２３０内への水和流体の流れを分散させて、管腔内医療装置２２８の完全水和を行うことができる。
【手続補正１２】
【補正対象書類名】明細書
【補正対象項目名】００４６
【補正方法】変更
【補正の内容】
【００４６】
図７および図８に示す実施形態では、水和は下記段階で行われる。この段階は、図２３のフローチャート３７０により示されている。参照番号３７２で示す段階では、図７および図８に示しかつ説明した構造を有するデリバリシステム３１０が用意される。参照番号３７４で示す段階では、水和流体（図示せず）が、拡張器３２０の近位端の少なくとも１つの水和チャネル３４４内に導入される。水和流体は、例えば、コネクタ３１８に連結されるシリンジを使用する任意の従来手段により水和チャネル３４４内に導入できる。所望により、例えば、食塩水、および、血液等の種々の水和流体を使用できる。水和流体は、水和チャネル３４４を通って装置チャンバ３３０に導かれる。装置チャンバ３３０内に到達したならば、参照番号３７８で示す段階で、水和流体は管腔内医療装置３２８に連通し、この管腔内医療装置３２８を水和する。次に、水和流体は、所望により、取出されるか、水和チャネル３４４および装置チャンバ３３０内に残される。図８に示すように、水和チャネル３４４が間隔を隔てて配置されているため、水和チャネル３４４は、装置チャンバ３３０内への水和流体の流れを分散させて、管腔内医療装置３２８の完全水和を行うことができる。
【手続補正１３】
【補正対象書類名】明細書
【補正対象項目名】００４７
【補正方法】変更
【補正の内容】
【００４７】
図９および図１０に示す実施形態では、水和は下記段階で行われる。この段階は、図２４のフローチャート４７０により示されている。参照番号４７２で示す段階では、図９および図１０に示しかつ説明した構造を有するデリバリシステム４１０が用意される。参照番号４７４で示す段階では、水和流体（図示せず）が、拡張器４２０の近位端の水和チャネル４４６内に導入される。水和流体は、例えば、コネクタ４１８に連結されるシリンジを使用する任意の従来手段により水和チャネル４４６内に導入できる。所望により、例えば、食塩水、および、血液等の種々の水和流体を使用できる。参照番号４７６で示す段階では、水和流体は、水和チャネル４４６を通って装置チャンバ４３０に導かれる。
装置チャンバ４３０内に到達したならば、参照番号４７８で示す段階で、水和流体は管腔内医療装置４２８に連通し、この管腔内医療装置４２８を水和する。次に、水和流体は、所望により、取出されるか、水和チャネル４４６および装置チャンバ４３０内に残される。図示の実施形態では、水和流体は、拡張器４２０内に形成されたルーメン４２６とも連通している。この形態では、例えば、水和流体が、ルーメン４２６内でのワイヤガイド４２７の摺動を容易にするという望ましい結果が達成される。
【手続補正１４】
【補正対象書類名】明細書
【補正対象項目名】００４８
【補正方法】変更
【補正の内容】
【００４８】
図１１および図１２に示す実施形態では、水和は下記段階で行われる。この段階は、図２５のフローチャート５７０により示されている。参照番号５７２で示す段階では、図１１および図１２に示し、かつ、説明した構造を有するデリバリシステム５１０が用意される。参照番号５７４で示す段階では、水和流体（図示せず）が、拡張器５２０の近位端の少なくとも１つの水和チャネル５４８内に導入される。水和流体は、例えば、コネクタ５１８に連結されるシリンジを使用する任意の従来手段により水和チャネル５４８内に導入できる。所望により、例えば、食塩水、および、血液等の種々の水和流体を使用できる。参照番号５７６で示す段階では、水和流体は、水和チャネル５４８を通って装置チャンバ５３０に導かれる。装置チャンバ５３０内に到達したならば、参照番号５７８で示す段階で、水和流体は管腔内医療装置５２８に連通し、この管腔内医療装置５２８を水和する。次に、水和流体は、所望により、取出されるか、水和チャネル５４８および装置チャンバ５３０内に残される。水和チャネル５４８が環状配列に配置されているため、水和チャネル５４８は、装置チャンバ５３０内への水和流体の流れを分散させて、管腔内医療装置５２８の完全水和を行うことができる。
【手続補正１５】
【補正対象書類名】明細書
【補正対象項目名】００４９
【補正方法】変更
【補正の内容】
【００４９】
図１３および図１４に示す実施形態では、水和は下記段階で行われる。この段階は、図２６のフローチャート６７０により示されている。参照番号６７２で示す段階では、図１３および図１４に示し、かつ、説明した構造を有するデリバリシステム６１０が用意される。参照番号６７４で示す段階では、水和流体（図示せず）が、拡張器６２０の近位端の水和チャネル６５０内に導入される。水和流体は、例えば、コネクタ６１８に連結されるシリンジを使用する任意の従来手段により水和チャネル６５０内に導入できる。所望により、例えば、食塩水、および、血液等の種々の水和流体を使用できる。参照番号６７６で示す段階では、水和流体は、水和チャネル６５０を通って装置チャンバ６３０に導かれる。装置チャンバ６３０内に到達したならば、参照番号６７８で示す段階で、水和流体は管腔内医療装置６２８に連通し、この管腔内医療装置６２８を水和する。次に、水和流体は、所望により、取出されるか、水和チャネル６５０および装置チャンバ６３０内に残される。
【手続補正１６】
【補正対象書類名】明細書
【補正対象項目名】００５１
【補正方法】変更
【補正の内容】
【００５１】
図１７に示す実施形態では、水和は下記段階で行われる。この段階は、図２８のフローチャート８７０により示されている。参照番号８７２で示す段階では、図１７に示し、かつ、説明した構造を有するデリバリシステム８１０が用意される。参照番号８７４で示す段階では、水和流体（図示せず）が、拡張器８２０内に形成されたルーメン８２６内に導入され、最終的には水和チャネル８５４内に導入される。水和流体は、所望により、拡張器８２０の近位端または遠位端８２０から導入される。水和流体は、コネクタ１８に連結されるシリンジ等の任意の従来手段を用いて、例えば、近位端からルーメン８２６を通して水和流体を「押出す」か、水和流体（図示せず）を収容した容器からまたは体管腔から水和流体を遠位端８２２に「吸引」することにより、ルーメン８２６内に導入できる。また、水和流体は、毛管サ用によりルーメン内に吸引することもできる。所望により、例えば、食塩水、および、血液等の種々の水和流体を使用できる。参照番号８７６で示す段階では、水和流体は、ルーメン８２６、および、水和チャネル８５４を通って装置チャンバ８３０に導かれる。装置チャンバ８３０内に到達したならば、参照番号８７８で示す段階で、水和流体は管腔内医療装置８２８に連通し、この管腔内医療装置８２８を水和する。次に、水和流体は、所望により、取出されるか、水和チャネル８５４および装置チャンバ８３０内に残される。水和チャネル８５４の複数の環状配列が設けられているため、水和チャネル８５４は、装置チャンバ８３０内への水和流体の流れを分散させて、管腔内医療装置８２８の完全水和を行うことができる。
【手続補正１７】
【補正対象書類名】明細書
【補正対象項目名】００５２
【補正方法】変更
【補正の内容】
【００５２】
図１８に示す実施形態では、水和は下記段階で行われる。この段階は、図２９のフローチャート９７０により示されている。参照番号９７２で示す段階では、図１８に示し、かつ、説明した構造を有するデリバリシステム９１０が用意される。参照番号９７３で示す段階では、プラグ９５６が用意され、かつ、拡張器９２０の遠位端９２２でルーメン９２６内に挿入される。参照番号９７４で示す段階では、水和流体（図示せず）が、拡張器９２０内に形成されたルーメン９２６内に導入され、最終的には水和チャネル９５４内に導入される。この実施形態では、水和流体は、拡張器９２０の近位端で導入される。水和流体は、例えば、コネクタ１８に連結されるシリンジ等の任意の従来の手段を用いるか、毛管作用により、ルーメン９２６内に導入できる。所望により、例えば、食塩水および血液等の種々の水和流体を使用できる。参照番号９７６で示す段階では、水和流体は、ルーメン９２６、および、水和チャネル９５４を通って装置チャンバ９３０に導かれる。装置チャンバ９３０内に到達したならば、参照番号９７８で示す段階で、水和流体は管腔内医療装置９２８に連通し、この管腔内医療装置９２８を水和する。次に、水和流体は、所望により、取出されるか、水和チャネル９５４、および、装置チャンバ９３０内に残される。水和流体の取出しは、プラグ９５６を取外すことにより行うことができる。水和チャネル９５４の複数の環状配列が設けられているため、水和チャネル９５４は、装置チャンバ９３０内への水和流体の流れを分散させて、管腔内医療装置９２８の完全水和を行うことができる。
【手続補正１８】
【補正対象書類名】明細書
【補正対象項目名】００５６
【補正方法】変更
【補正の内容】
【００５６】
【図１】本発明の一実施形態によるデリバリシステムを示す斜視図である。
【図２】従来技術によるデリバリシステムの遠位端を示す断面図である。
【図３】図１に示したデリバリシステムの遠位端を示す断面図である。
【図４】図１および図３に示したデリバリシステムの遠位端を、図３の線４−４に沿って切断した断面図である。
【図５】図３に示したデリバリシステムの他の実施形態を示す断面図である。
【図６】図５に示したデリバリシステムの遠位端を、図５の線６−６に沿って切断した断面図である。
【図７】図３に示したデリバリシステムの他の実施形態を示す断面図である。
【図８】図７に示したデリバリシステムの遠位端を、図７の線８−８に沿って切断した断面図である。
【図９】図３に示したデリバリシステムの他の実施形態を示す断面図である。
【図１０】図９に示したデリバリシステムの遠位端を、図９の線１０−１０に沿って切断した断面図である。
【図１１】図３に示したデリバリシステムの他の実施形態を示す断面図である。
【図１２】図１１に示したデリバリシステムの遠位端を、図１１の線１２−１２に沿って切断した断面図である。
【図１３】図３に示したデリバリシステムの他の実施形態を示す断面図である。
【図１４】図１３に示したデリバリシステムの遠位端を、図１３の線１４−１４に沿って切断した断面図である。
【図１５】図３に示したデリバリシステムの他の実施形態を示す断面図である。
【図１６】図１３に示したデリバリシステムの遠位端を、図１５の線１６−１６に沿って切断した断面図である。
【図１７】図３に示したデリバリシステムの他の実施形態を示す断面図である。
【図１８】図３に示したデリバリシステムの他の実施形態を示す断面図である。
【図１９】図３に示したデリバリシステムの他の実施形態を収容する体管腔を示す断面図である。
【図２０】図１９に示したデリバリシステムの遠位端を示す斜視図である。
【図２１】図３および図４に示した本発明の実施形態による管腔内医療装置を水和する方法を示すフローチャートである。
【図２２】図５および図６に示した本発明の実施形態による管腔内医療装置を水和する方法を示すフローチャートである。
【図２３】図７および図８に示した本発明の実施形態による管腔内医療装置を水和する方法を示すフローチャートである。
【図２４】図９および図１０に示した本発明の実施形態による管腔内医療装置を水和する方法を示すフローチャートである。
【図２５】図１１および図１２に示した本発明の実施形態による管腔内医療装置を水和する方法を示すフローチャートである。
【図２６】図１３および図１４に示した本発明の実施形態による管腔内医療装置を水和する方法を示すフローチャートである。
【図２７】図１５および図１６に示した本発明の実施形態による管腔内医療装置を水和する方法を示すフローチャートである。
【図２８】図１７に示した本発明の実施形態による管腔内医療装置を水和する方法を示すフローチャートである。
【図２９】図１８に示した本発明の実施形態による管腔内医療装置を水和する方法を示すフローチャートである。
【図３０】図１９および図２０に示した本発明の実施形態による管腔内医療装置を水和する方法を示すフローチャートである。
【図３１】図３に示したデリバリシステムの他の実施形態を示す断面図である。